(57)【要約】【課題】  氷を取り出すためのイジェクタが製氷のために供給された水を掻き回して水の熱伝逹を促すことによって速かに氷を製氷できる冷蔵庫用製氷器の急速製氷制御方法を提供する。【解決手段】  製氷器モールド（６２）に水を給水する給水段階（Ｓ１２）と、給水段階の後にイジェクタ（６４）を設定時間の間回動させる急速製氷段階（Ｓ１３）と、急速製氷段階の後に製氷器モールドの温度が設定温度に達したら（Ｓ１４で“はい”）イジェクタが氷を移氷させる移氷段階（Ｓ１６）と、を含む。【選択図】      図１３
2005114337.tif 000002
【特許請求の範囲】
【請求項１】
製氷器モールドに水が供給される給水段階と；
前記給水段階の後にイジェクタを設定時間の間回動させる急速製氷段階と；
前記急速製氷段階の後に前記製氷器モールドの温度が設定温度より低くなると、前記イジェクタが氷を移氷させる移氷段階と；を含めて構成されたことを特徴とする冷蔵庫用製氷器の急速製氷制御方法。
【請求項２】
前記急速製氷段階は、前記イジェクタを設定角度範囲内で二方向回動させるか、一方向回動させることを特徴とする請求項１に記載の冷蔵庫用製氷器の急速製氷制御方法。
【請求項３】
前記移氷段階は、前記製氷器モールドの温度が設定温度未満ならヒータをオンにした後オフにするヒータオン/オフ過程と；
前記ヒータオン/オフ過程の後に前記イジェクタが氷を取り出させるように前記イジェクタを回動させた後、初期位置に復帰させるイジェクタ回動過程と；から構成されたことを特徴とする請求項１に記載の冷蔵庫用製氷器の急速製氷制御方法。
【請求項４】
前記ヒータオン/オフ過程は、前記イジェクタが所定の位置に達すると前記ヒータをオフにすることを特徴とする請求項３に記載の冷蔵庫用製氷器の急速製氷制御方法。
【請求項５】
前記移氷段階の後に、取り出された氷が満氷されたか否か感知する満氷感知段階をさらに含めてなり、
前記満氷感知段階で満氷であると判断したら、前記給水段階以降の段階を中止することを特徴とする請求項１に記載の冷蔵庫用製氷器の急速製氷制御方法。
【請求項６】
製氷器モールドに水が給水される給水段階と；
前記給水段階の後に前記イジェクタを回動させ、前記製氷器モールドの温度が第１設定温度より低くなると、前記イジェクタの回動を停止させる急速製氷段階と；
前記急速製氷段階の後に前記製氷器モールドの温度が第２設定温度より低くなると、前記イジェクタが氷を移氷させる移氷段階と；を含めて構成されたことを特徴とする冷蔵庫用製氷器の急速製氷制御方法。
【請求項７】
前記急速製氷段階は、前記イジェクタを設定角度範囲内で二方向回動させるか、一方向回動させることを特徴とする請求項６に記載の冷蔵庫用製氷器の急速製氷制御方法。
【請求項８】
前記移氷段階は、前記製氷器モールドの温度が設定温度未満ならヒータをオンにした後オフにするヒータオン/オフ過程と；
前記ヒータオン/オフ過程の後に前記イジェクタが氷を取り出させるように前記イジェクタを回動させた後初期位置に復帰させるイジェクタ回動過程と；から構成されたことを特徴とする請求項６に記載の冷蔵庫用製氷器の急速製氷制御方法。
【請求項９】
前記ヒータオン/オフ過程は、前記イジェクタが所定の位置に達すると前記ヒータをオフにすることを特徴とする請求項８に記載の冷蔵庫用製氷器の急速製氷制御方法。
【請求項１０】
前記移氷段階の後に、取り出された氷が満氷されたか否かを感知する満氷感知段階をさらに含めてなり、
前記満氷感知段階で満氷であると判断されたら、前記給水段階以降の段階を中止することを特徴とする請求項６に記載の冷蔵庫用製氷器の急速製氷制御方法。
【発明の詳細な説明】
【技術分野】
【０００１】
本発明は、冷蔵庫用製氷器の急速製氷制御方法に関し、特に、氷を取り出すためのイジェクタが製氷のために供給された水を掻き回せるようにした冷蔵庫用製氷器の急速製氷制御方法に関する。
【背景技術】
【０００２】
一般に、冷蔵庫は、冷媒の冷凍サイクル装置を利用して冷凍室または冷蔵室を低温に保持させる装置をいう。
図１は、一般の冷蔵庫を示す斜視図である。
一般に、冷蔵庫は、図１に示すように、冷凍室Ｆ及び冷蔵室Ｒがバリア１により区画され、前記冷凍室Ｆ及び冷蔵室Ｒを低温に保持させるための冷凍サイクル装置が装着される本体２と、前記冷凍室を開閉するために前記本体２に回動可能に連結された冷凍室ドア４と、前記冷蔵室を開閉するために前記本体２に回動可能に連結された冷蔵室ドア６と、を含めて構成される。
【０００３】
前記冷凍サイクル装置は、低温低圧の気体冷媒を圧縮する圧縮器と、前記圧縮器で圧縮された高圧の冷媒が外部空気に放熱されて凝縮される凝縮器と、前記凝縮器で凝縮された冷媒が減圧される膨脹器と、前記膨脹器で膨脹された冷媒が冷凍室Ｆ及び冷蔵室Ｒの熱を奪って蒸発される蒸発器と、から構成される。
最近の冷蔵庫は、冷凍室Ｆの冷気を利用して氷を製氷したのち取り出させる自動製氷装置が備えられる趨勢にある。
【０００４】
図２は、従来の技術に係る冷蔵庫において冷凍室ドア及び冷蔵室ドアが開いた状態を示す斜視図である。
前記自動製氷装置は、図２に示すように、前記冷凍室Ｆの内側上部に装着されて冷凍室Ｆ内の冷気により供給された水を製氷する製氷器１２と、前記製氷器１２で製氷された氷が移されて収容されるように前記冷凍室Ｆに装着されたアイスバンク１４と、前記冷凍室ドア４を開閉することなく氷を外部から取り出すように前記冷凍室ドア４に形成されたディスペンサ１６と、前記アイスバンク１４に入っている氷が前記ディスペンサ１６に落下するように案内するアイスシュート１８と、から構成される。
【０００５】
図３は、従来の技術に係る製氷器を示す斜視図であり、図４は、従来の技術に係る製氷器を示す断面図であり、図５は、従来の技術に係る製氷器の制御ブロック図である。
前記製氷器１２は、図３ないし図５に示すように、給水ホース(図示せず)から供給される水を収容し、収容している水を供給するコップ２１と、前記コップ２１から供給された水を収容し、その水を冷凍室内の冷気により製氷する製氷器モールド２２と、前記製氷器モールド２２に取り付けられ、氷取出しに当たって製氷器モールド２２から氷を分離させるために前記製氷器モールド２２を加熱するヒータ２３と、前記製氷器モールド２２の上側に回動可能に配置されて製氷された氷をすくい上げるイジェクタ２４と、前記イジェクタ２４を回動させる駆動力を発生するモータ２５と、前記イジェクタ２４によりすくい上げられた氷を前記アイスバンク１４の内部に案内するスライダー２６と、前記アイスバンク１４の満氷を感知する満氷感知レバー２７と、前記製氷器モールド２２の温度と前記アイスバンク１４の満氷状態にしたがって前記ヒータ２３及びモータ２５を制御し、前記コップ２１に供給される水を断続(intermit)する給水バルブ２１ａを制御する製氷制御部２８と、から構成される。
【０００６】
前記製氷器モールド２２には、水が結氷される製氷空間が形成され、前記製氷空間には複数個の氷が分離生成されるように製氷空間を区画する複数個の区画突起２２ａが設けられる。
また、前記製氷器モールド２２には、前記製氷器１２を前記冷凍室の上側背面に固定させる連結部２２ｂが形成される。
【０００７】
前記ヒータ２３は、前記製氷器モールド２２の底面に配設される。
前記イジェクタ２４は、前記モータ２５に連動して回転される軸２４ａが前記製氷空間の上側に位置し、前記軸２４ａの側面には多数個のピン２４ｂが前記区画突起２２ａにより複数個に区画された製氷空間の個数ほど形成される。
前記モータ２５は、前記製氷制御部２８の内部に取り付けられる。
前記製氷制御部２８には、前記製氷器モールド２２の温度を感知する温度センサー２９ａと、前記満氷感知レバー２７の回動位置を検出して前記アイスバンク１４が満氷されたか否かを感知する満氷感知センサー２９ｂとが備えられる。
【０００８】
次に、上記のように構成された製氷器の製氷制御方法を詳細に説明する。
図６は、従来の技術に係る製氷器の制御方法を示すフローチャートである。
図６に示すように、電源が入ると、前記製氷制御部２８は前記モータ２５を制御して前記イジェクタ２４を初期位置Ａにセッティングする。(Ｓ１)
その後、前記製氷制御部２８は、前記給水バルブ２１ａを所定時間の間オンにした後オフにすると、前記給水バルブ２１ａのオンの時に外部から供給された水が前記コップ２１に収容され、前記製氷器モールド２２に送り込まれる。(Ｓ２)
前記製氷器モールド２２に送り込まれた水は冷凍室内の冷気または製氷器モールドと熱交換されながら次第に結氷していく。
【０００９】
前記製氷制御部２８は、前記温度センサー２９ａにより感知された製氷器モールドの温度が設定温度(例えば、−７℃)より低くなったら製氷が完了したと判断し、前記ヒータ２３を設定時間の間(例えば、２分)オンにした後オフにする。(Ｓ３、 Ｓ４)
このような前記ヒータ２３のオンにより前記製氷器モールド２２の温度は上昇し、製氷された氷は前記製氷器モールド２２に触れる部位から溶け始めて前記製氷器モールド２２から分離される。
【００１０】
すると、前記製氷制御部２８は、前記モータ２５を制御して前記イジェクタ２４を初期位置Ａから移氷位置Ｂに回動させた後、再び初期位置Ａに復帰させる。(Ｓ５)
このような前記イジェクタ２４の回動により製氷器モールド２２内の氷はすくい上げられて前記スライダー２６に落下し、該スライダー２６により案内されて前記アイスバンク１４に移氷される。
その後、前記製氷制御部２８は、前記満氷感知レバー２７を回動させ、満氷感知センサー２９ｂにより感知される結果に基づいて前記アイスバンク１４が満氷されたか否か判断する。
【００１１】
前記アイスバンク１４が満氷でないと判断されたら、 前記製氷制御部２８は、上記のような給水、製氷、ヒーティング、移氷及び満氷感知を繰返し行い、前記アイスバンク１４が満氷であると判断されたら、上記のような給水、製氷、ヒーティング、移氷及び満氷感知を停止する。(Ｓ６)
【００１２】
しかし、従来の冷蔵庫用製氷器の製氷制御方法は、前記製氷器モールド２２に供給された水が冷凍室Ｆ内の冷気との自然対流及び前記製氷器モールド２２の熱伝導によってのみ冷却されるため、製氷に時間がかかる問題点があった。
【発明の開示】
【発明が解決しようとする課題】
【００１３】
本発明は、上記の問題を解決するために案出されたものであり、その目的は、氷を取り出すためのイジェクタが製氷のために供給された水を掻き回して水の熱伝逹を促すことによって速かな製氷を可能にする冷蔵庫用製氷器の急速製氷制御方法を提供することにある。
【課題を解決するための手段】
【００１４】
上記の目的を達成するために、本発明に係る冷蔵庫用製氷器の急速製氷制御方法は、製氷器モールドに水が供給される給水段階と、前記給水段階の後にイジェクタを設定時間の間回動させる急速製氷段階と、前記急速製氷段階の後に前記製氷器モールドの温度が設定温度より低くなると、前記イジェクタが氷を移氷させる移氷段階と；を含めて構成されたことを特徴とする。
【００１５】
また、本発明に係る冷蔵庫用製氷器の急速製氷制御方法は、製氷器モールドに水が給水される給水段階と、前記給水段階の後に前記イジェクタを回動させ、前記製氷器モールドの温度が第１設定温度より低くなると、前記イジェクタの回動を停止させる急速製氷段階と、前記急速製氷段階の後に前記製氷器モールドの温度が第２設定温度より低くなると、前記イジェクタが氷を移氷させる移氷段階と、を含めて構成されたことを特徴とする。
【発明の効果】
【００１６】
第一、本発明に係る冷蔵庫の急速製氷制御方法は、製氷器モールドに水が供給された後イジェクタを設定時間の間回動させ水を掻き回すために水の冷却が促進され、前記イジェクタの回動が停止した後、前記製氷器モールドの温度が設定温度より低くなると、前記イジェクタが氷を移氷させるためにより迅速な製氷が可能である。
【００１７】
第二、本発明に係る冷蔵庫の急速製氷制御方法は、製氷器モールドに水が供給された後に前記イジェクタを回動させ、前記製氷器モールドの温度が第１設定温度より低くなると前記イジェクタの回動を停止させ、前記イジェクタの回動が停止した後に前記製氷器モールドの温度が第２設定温度より低くなると、前記イジェクタが氷を移氷させるために、結氷が始まる直前まで水の冷却を加速化することができ、より迅速な製氷を可能にする利点がある。
【００１８】
第三、本発明に係る冷蔵庫の急速製氷制御方法は、イジェクタが設定角度範囲内で二方向に回動されて水の乱流を活性化するために、水が急速に冷却させられる。
【００１９】
第四、本発明に係る冷蔵庫の急速製氷制御方法は、イジェクタの回動角度を、そのピンの上限位置が給水された水位より高くなるようにして設定し、水の上側に露出されたピンが冷凍室内の冷気により冷却された状態で水中に沈降するので、冷気と水の熱伝逹がさらに促進され、より迅速な製氷が可能になる利点がある。
【００２０】
第五、本発明に係る冷蔵庫の急速製氷制御方法は、イジェクタの回動角度を、ピンの上限位置が給水された水位より低くなるようにして設定し、ピンの撹はん速度及び水の対流が増大するので、より迅速な製氷が可能になる利点がある。
【００２１】
第六、本発明に係る冷蔵庫の急速製氷制御方法は、イジェクタが一方向に連続回転され、水の上側に露出されたピンが冷凍室内の冷気により冷却された状態で水中に沈降するので、冷気と水の熱伝逹がさらに促進され、前記イジェクタが二方向に回動される時に比べて、制御が簡単でありながらもモータの寿命が長びくといった利点がある。
【発明を実施するための最良の形態】
【００２２】
以下、本発明の具体的な実施例を添付図面を参照しつつ詳細に説明する。なお、図面中、同一の構成要素には同一の参照番号及び符号を共通使用し、周知技術については適宜説明を省略するものとする。
図７は、本発明に係る冷蔵庫の冷凍室ドア及び冷蔵室ドアが開放された状態を示す斜視図である。
【００２３】
本発明に係る冷蔵庫は、図７に示すように、本体５０の内部に冷凍室Ｆと冷蔵室Ｒがバリア５２により区画形成され、前記冷凍室Ｆを開閉するための冷凍室ドア５４が前記本体５０に回動可能に取り付けられ、前記冷蔵室Ｒを開閉するための冷蔵室ドア５６が前記本体５０に回動可能に取り付けられる。
【００２４】
前記冷凍室ドア５４には、水を製氷する製氷器６０と、前記製氷器６０で作られた氷を収容するアイスバンク７０と、該アイスバンク７０内の氷が落下する通路となるアイスシュート８０と、該アイスシュート８０により案内された氷が収容される容器または被冷凍物が載せられるディスペンサ９０と、が装着される。
前記製氷器６０は、冷凍室Ｆの有効内容積を大きくするために前記冷凍室ドア５４の背面に装着される。
【００２５】
前記アイスバンク７０も同様に、冷凍室Ｆの有効内容積を大きくするために前記冷凍室ドア５４の背面に装着され、同時に前記製氷器６０の下側に位置する。
前記アイスバンク７０は上面が開放され、その内部に移氷された氷を水平に移送するオーガーと、移送された氷を粉砕する粉砕器とが装着され、底面に丸氷と砕氷が取り出される氷取出し口が形成されるとともに、該氷取出し口を開閉するシャッタが取り付けられる。
【００２６】
前記アイスシュート８０は、前記アイスバンク７０の下側に位置して前記冷凍室ドア５４の背面に装着される。
前記アイスシュート８０は、前記通路の上端が前記アイスバンク７０の氷取出し口と通じ、前記通路の下端が前記ディスペンサ９０の内側空間と通じる。
【００２７】
前記ディスペンサ９０は、前記アイスシュート８０の下側に位置して前記冷凍室ドア５４に装着され、氷を盛るための容器の出入を可能にするために前面が開放され、両側面及び背面は閉鎖されている。
参照符号９６は、前記冷蔵室ドアに備えられたホームバーである。
【００２８】
図８は、本発明に係る冷蔵庫の冷凍室を示す側断面図である。
前記本体５０は、図８に示すように、外形を形成する外筐１１２と、前記外筐１１２内に位置して前記冷凍室Ｆを形成し、被冷凍水の出入のために前面が開放された冷凍室内筐１１４と、該冷凍室内筐１１４の外面を取り囲む断熱材１１６と、を含めて構成される。
【００２９】
前記冷凍室内筐１１４の内部には、前記冷凍室Ｆまたは冷蔵室内の冷気が循環されるように冷気吐出穴１２０ａと、冷気リターン穴１２０ｂが形成され、前記内筐１１４の背面部との間で冷却チャンバーＣを形成する冷却チャンバーパネル１２０が配設される。
前記冷却チャンバーＣには、低温低圧の冷媒が通過しながら蒸発される蒸発器１２２が配設され、該蒸発器１２２と熱交換された空気を前記冷凍室Ｆ及び冷蔵室Ｒに送風させる冷却ファン１２４が配設される。
【００３０】
前記冷却ファン１２４は、前記冷却チャンバーＣ内に取り付けられたモータ１２５に軸設される。
また、前記冷却チャンバーパネル１２０の前方には、前記冷却ファン１２４により送風された空気が冷凍室Ｆに供給されるように冷気吐出穴１２６ａが形成され、前記冷凍室Ｆの冷気が復帰されるように冷気リターン穴１２６ｂが形成された冷凍室背面パネル１２６が離隔配設される。
【００３１】
図９は、本発明に係る冷蔵庫の冷蔵室を示す側断面図である。
前記本体５０は、図９に示すように、前記外筐１１２の内側に位置して前記冷蔵室Ｒを形成し、被冷蔵水の出入のために前面が開放された冷蔵室内筐１１８と、前記冷凍室内筐１１４の外面を取り囲む断熱材１１６と、を含めて構成され、その下部には機械室Ｍが設けられる。
【００３２】
また、前記本体５０は、前記機械室Ｍの内部に装着されて前記蒸発器１２２から蒸発された低温低圧の気体冷媒を圧縮する圧縮器１３２と、前記機械室Ｍの内部または前記外筐１１２の背面に装着されて前記圧縮器１３２で圧縮された高圧の冷媒が外部空気に放熱されて凝縮される凝縮器１３４と、該凝縮器１３４で凝縮された冷媒が容易に蒸発されるように減圧される膨脹器１３６とを、さらに含めて構成される。
【００３３】
前記冷蔵室Ｒは、前記バリア５２の上部に、前記蒸発器１２２により冷却された冷気が前記冷蔵室Ｒの内部に供給されるように冷気吐出ダクト１３７が形成され、前記バリア５２の下部に、前記冷蔵室Ｒを冷やした冷気が前記冷却チャンバーに復帰されるように冷気リターンダクト１３８が形成される。
【００３４】
前記冷気吐出ダクト１３７と前記冷気リターンダクト１３８それぞれは、一端が前記冷蔵室Ｒと通じ、他端が前記冷却チャンバーパネル１２０と冷凍室背面パネル１２６との間または前記冷却チャンバーに通じる。
前記ホームバー６６は、前記冷蔵室ドア５６の背面に装着されたホームバーバケット６６ａと、前記ホームバーバケット６６ａの上側に形成されるホームバーカバー６６ｂと、前記冷蔵室ドア５６に形成された開口穴５６ａを開閉するためのホームバードア６６ｃと、から構成される。
【００３５】
図１０は、本発明に係る冷蔵庫用製氷器の斜視図であり、図１１は、本発明に係る冷蔵庫用製氷器の横断面図であり、図１２は、本発明に係る冷蔵庫用製氷器の縦断面図である。
前記製氷器６０は、図１０ないし図１２に示すように、製氷器モールド６２が冷凍室ドアの背面に装着される。
前記製氷器モールド６２には、水が結氷される製氷空間が半円筒形状に左右方向に沿って長く形成され、前記製氷空間には、複数個の氷が分離生成されるように複数個の区画突起６２ａが所定間隔だけ離隔形成される。
【００３６】
また、前記製氷器モールド６２には、前記製氷器６０を前記冷凍室ドアの背面に固定させる連結部６２ｂが前面側上部の左右両側に突出形成され、前面側に水あふれ防止部６２ｃが上方に向けて延設される。
前記製氷器モールド６２には、給水ホース(図示せず)から供給された水が収容され、その収容されている水を前記製氷器モールド６２の製氷空間に送り込むコップ６１が設けられる。
【００３７】
前記製氷器モールド６２の底面側には、氷取出しにあたり製氷器モールド６２から氷を分離させられるように前記製氷器モールド６２を加熱するヒータ６３が取り付けられる。
前記ヒータ６３は、前記製氷器モールド６２の底面に‘⊃’形状に配置される。
また、製氷器モールド６２の背面側には前記製氷空間からすくい上げられた氷を前記アイスバンク７０の内部に案内するスライダー６６が装着される。
【００３８】
また、前記製氷器は、製氷器モールド６２の上側に回動可能に設けられて製氷された氷をすくい上げるイジェクタ６４と、前記イジェクタ６４を回動させる駆動力を発生するモータ６５と、前記アイスバンク７０の満氷を感知する満氷感知レバー６７と、前記製氷器モールド６２の温度と前記アイスバンク７０の満氷状態にしたがって前記ヒータ６３及びモータ６５を制御し、前記コップ６１から供給される水を断続する給水バルブを制御する製氷制御部６８をさらに含めて構成される。
【００３９】
前記イジェクタ６４は、前記モータ６５に連動して回転される軸６４ａが前記製氷空間の上側を横切るように左右方向に長く配置され、前記軸６４ａの側面には多数個のピン６４ｂが、前記区画突起６２ａにより複数個に区画された製氷空間の個数ほど形成される。
前記イジェクタ６４は、一端が前記コップ６１に回動可能に支持され、他端が前記製氷制御部６８の内側に突出し、前記モータ６５からの駆動力が伝えられるように従動ギア６４ｃの回転軸に連結される。
【００４０】
前記モータ６５は、前記製氷制御部６８内に装着され、その回転軸には前記従動ギア６４ｃに噛合う駆動ギア６５ａが軸設される。
前記製氷制御部６８には、前記製氷器モールド６２の温度を感知する温度センサー６９ａと、前記満氷感知レバー６７の回動位置を検出して前記アイスバンク７０が満氷されたか否かを感知する満氷感知センサーとが備えられ、前記温度センサー６９ａにより感知された温度と前記満氷感知センサーにより感知された満氷状態にしたがって前記ヒータ６３、モータ６５、給水バルブをオン/オフする制御パネル６９ｂが装着される。
【００４１】
前記満氷感知センサーは、前記満氷感知レバー６７に連動して回動するマグネット６９ｃと、前記制御パネル６９ｂに固定されて前記マグネット６９ｃの移動による磁場変化を感知するホールセンサー６９ｄと、から構成される。
参照符号ｗは、前記製氷器モールド６２の製氷空間に入っている水を示す。
【００４２】
次に、上記のように構成された冷蔵庫の動作を詳細に説明する。
まず、前記圧縮器１３２が駆動されると、この圧縮器１３２では高温高圧の気体冷媒が吐出され、吐出された高温高圧の気体冷媒は前記凝縮器１３４を通過しながら凝縮器１３４周辺の外部空気と熱交換され中温高圧の液体冷媒に凝縮され、前記膨脹器１３６を通過しながら低温低圧の液体冷媒に膨脹される。前記膨脹器１３６で膨脹された冷媒は前記蒸発器１２２を通過しながら周辺空気を冷却させる。
【００４３】
そして、前記冷却ファン１２４が駆動されると、前記蒸発器１２２により冷却された冷気は前記冷却チャンバーＣと前記冷凍室Ｆ及び冷蔵室Ｒを循環しながら前記冷凍室Ｆ及び冷蔵室Ｒを低温に保持させる。
前記冷凍室Ｆに循環された冷気は、一部が前記冷凍室ドア５４の背面側で前記製氷器６０を冷却させて前記製氷器６０から供給された水を製氷させ、製氷された氷は前記アイスバンク７０に収容される。
【００４４】
このように構成された製氷器の急速製氷制御方法を説明すると、下記のとおりになる。
図１３は、本発明に係る冷蔵庫用製氷器の急速製氷制御方法の第１実施例を示すフローチャートである。
まず、電源が入ると、前記製氷制御部６８は、前記モータ６５を制御して前記イジェクタ６４を初期位置Ａにセッティングする。(Ｓ１１)
その後、前記製氷制御部６８は、前記コップ６１から給水される水を断続する給水バルブを所定時間の間オンにした後オフにする。(Ｓ１２)
【００４５】
前記給水バルブのオンにより外部から供給された水は、前記コップ６１に収容されてから前記製氷器モールド６２に送り込まれる。
このように前記製氷器モールド６２に送り込まれた水は、冷凍室内の冷気または製氷器モールド６２と熱交換されて冷却され、時間の経過につれて次第に凍ることになる。
ここで、前記製氷制御部６８は、前記のように結氷が進行される途中に前記イジェクタ６４を設定時間(例えば、１分)の間回転させて水の冷却を促す。(Ｓ１３)
【００４６】
つまり、前記イジェクタ６４は、水が結氷される前に水を掻き回して水の対流を増大させ、これにより、水は強制的に対流され冷気と水の熱伝逹が促進されるので、より急速な冷却が可能になる。
ここで、前記イジェクタ６４の回転は、前記イジェクタ６４のピン６４ｂを設定角度範囲(例えば、１０〜２５０°)にして二方向回動することによってなされる。
【００４７】
前記イジェクタ６４が設定角度範囲(例えば、１０〜２５０°)内で二方向回動される場合、前記設定角度範囲(例えば、１０〜２５０°)は、前記イジェクタ６４のピン６４ｂの上限位置が、供給された水の高さより高いか低くなるように設定されるものであり、前記イジェクタ６４のピン６４ｂが二方向回動される設定回動角である。
【００４８】
図１４は、本発明に係る冷蔵庫用製氷器のイジェクタが二方向回動される一例を示す断面図である。
図１４に示すように、前記イジェクタ６４は、前記ピン６４ｂの設定回動角(α°)が小さい場合(例えば、１０〜１７０°)、前記ピン６４ｂが供給された水(ｗ)の水位(ｈ)より低い位置で二方向回動しながら水を掻き回す。
【００４９】
図１５は、本発明に係る冷蔵庫用製氷器のイジェクタが二方向回動される他の例を示す断面図である。
図１５に示すように、前記イジェクタ６４は、前記ピン６４ｂの設定回動角(β°)が大きい場合(例えば、１８０〜２５０°)、前記ピン６４ｂが供給された水位(ｈ)より高い位置で水の上下部にわたって二方向回動しながら水を掻き回す。
【００５０】
もちろん、前記イジェクタ６４の回転は、二方向回動に限定されず、一方向に連続回転することも可能である。
また、前記イジェクタ６４は、上記のように水を掻き回す間には氷をすくい上げる時の回転速度に比べて速い速度で回動させ、水の熱伝逹を向上させるようにしてもいい。
【００５１】
図１６は、本発明に係る冷蔵庫用製氷器のイジェクタが一方向に連続回転される例を示す断面図である。
図１６に示すように、前記イジェクタ６４が一方向に連続回転される場合、前記イジェクタ６４のピン６４ｂは水の上下にわたって回転しながら水を掻き回す。
参照符号６６ａは、前記イジェクタ６４の一方向連続回転時、前記ピン６４ｂと前記スライダー６６が干渉しないように前記スライダー６６に形成された避難溝である。
【００５２】
一方、前記製氷制御部６８は、前記イジェクタ６４を設定時間(例えば、１分)の間回転させた後に、前記温度センサー６９ａにより感知された製氷器モールド６２の温度が設定温度(例えば、−７℃)より低くなると、製氷が完了したものと判断し前記ヒータ６３をオンにし、前記ヒータ６３をオンにしてから第２設定時間(例えば、２分)が経過すると、前記ヒータ６３をオフにする。(Ｓ１４、Ｓ１５)
【００５３】
前記ヒータ６３のオンにより前記製氷器モールド６２の温度は上昇し、製氷された氷は前記製氷器モールド６２と触れる部位から溶け始まりながら前記製氷器モールド６２から分離される。
その後、前記製氷制御部６８は、前記モータ６５を制御して前記イジェクタ６４を初期位置Ａから移氷位置Ｂに回動させた後、再び初期位置Ａに復帰させる。(Ｓ１６)
【００５４】
前記イジェクタ６４の回動により製氷器モールド６２内の氷がすくい上げられて前記スライダー６６に落下し、該スライダー６６により案内されて前記アイスバンク７０に移氷される。
その後、前記製氷制御部６８は、前記満氷感知レバー６７の回動による満氷感知センサー６９ｂの感知結果に基づいて前記アイスバンク７０が満氷されたか否か判断する。(Ｓ１７)
【００５５】
前記製氷制御部６８は、前記アイスバンク７０が満氷でないと判断されたら、上述した給水、急速製氷、ヒーティング、移氷、及び満氷感知を繰返し行う。
前記製氷制御部６８は、前記アイスバンク７０が満氷でないものと判断されたら、上述した給水、急速製氷、ヒーティング、移氷、及び満氷感知を停止してもいいが、前記アイスバンク７０の満氷解除以降の迅速な氷供給のため、前記給水段階以降から中止してもよく、前記急速製氷段階以降から中止してもいいことは勿論である。
【００５６】
一方、本発明は、上記の実施例に限定されず、前記ヒータ６３をオンにした後オフにすることを、上記のように第２設定時間(例えば、２分)の間行うのではなく製氷器モールド６２の温度にしたがって行うことも可能である。
つまり、前記製氷制御部６８は、前記製氷器モールド６２の温度が設定温度(例えば、−７℃)未満なら、前記ヒータ６３をオンにした後、前記製氷器モールド６２の温度が設定温度(例えば、−７℃)より高い第２設定温度(例えば、−２℃)に達すると、前記ヒータ６３をオフにすることも可能である。
また、前記製氷制御部６８は、前記イジェクタ６４が前記製氷器モールド６２内の所定位置に到達した時、前記ヒータ６３をオフにすることも可能である。
【００５７】
図１７は、本発明に係る冷蔵庫用製氷器の急速製氷制御方法の第２実施例を示すフローチャートである。
まず、電源が入ると、前記製氷制御部６８は前記モータ６５を制御して前記イジェクタ６４を初期位置Ａにセッティングする。(Ｓ３１)
その後、前記製氷制御部６８は、前記コップ６１から供給される水を断続する給水バルブ(図示せず)を所定時間の間オンにした後オフにする。(Ｓ３２)
前記給水バルブのオンにより外部から供給された水は前記コップ６１に収容された後、前記製氷器モールド６２に送り込まれる。
【００５８】
このように前記製氷器モールド６２に送り込まれた水は、冷凍室内の冷気または製氷器モールドと熱交換されて冷却され、時間が経過するにつれて次第に凍っていく。
ここで、前記製氷制御部６８は、上記のような水の冷却が進行される途中に前記イジェクタ６４を回転させて水の冷却を促す。(Ｓ３３)
本実施例における前記イジェクタ６４の回転とそれによる製氷の促進は、本発明の第１実施例におけると同様なので、その詳細は省略するものとする。
【００５９】
次いで、前記製氷制御部６８は、前記製氷器モールド６２の温度が第１設定温度(例えば、１℃)より低いと、前記イジェクタ６４の回転を停止する。(Ｓ３４、Ｓ３５)
ここで、前記第１設定温度(例えば、１℃)は、前記製氷器モールド６２に入っている水の結氷が始まる直前の製氷器モールド温度であって、実験により決定される値を使用すると好ましい。
【００６０】
一方、前記製氷制御部６８は、前記イジェクタ６４の回転及び停止の後に前記温度センサー６９ａにより感知された製氷器モールド６２の温度が、第２設定温度(例えば、−７℃)より低くなると、製氷が完了したものと判断し前記ヒータ６３をオンにし、前記ヒータ６３をオンにしてから設定時間(例えば、２分)が経過すると前記ヒータ６３をオフにする。(Ｓ３６、Ｓ３７)
【００６１】
前記ヒータ６３のオンにより前記製氷器モールド６２の温度は上昇し、製氷された氷は前記製氷器モールド６２と触れる部位から溶け始まりながら前記製氷器モールド６２から分離される。
その後、前記製氷制御部６８は、前記モータ６５を制御して前記イジェクタ６４を初期位置Ａから移氷位置Ｂに回動させた後、再び初期位置Ａに復帰させる。(Ｓ３８)
前記イジェクタ６４の回動により製氷器モールド６２内の氷がすくい上げられて前記スライダー６６に落下し、該スライダー６６により案内されて前記アイスバンク６４に移氷される。
【００６２】
次いで、前記製氷制御部６８は、前記満氷感知レバー６７の回動による満氷感知センサー６９ｂの感知結果に基づいて前記アイスバンク７０が満氷されたか否か判断する。(Ｓ３９)
前記製氷制御部６８は、前記アイスバンク７０が満氷でないと判断されたら、上述した給水、急速製氷、ヒーティング、移氷、及び満氷感知を繰返し行う。
【００６３】
また、前記アイスバンク７０が満氷であると判断されたら、前記製氷制御部６８は上述した給水、急速製氷、ヒーティング、移氷及び満氷感知を停止してもいいが、前記アイスバンク７０の満氷解除以降の迅速な氷供給のため、前記給水段階以降から中止してもよく、前記急速製氷段階以降から中止してもいい。
一方、本発明は上記の実施例に限定されず、前記ヒータ６３をオンにした後オフにすることを、上記のように設定時間(例えば、２分)の間行うのではなく製氷器モールド６２の温度にしたがって行ってもいい。
【００６４】
つまり、前記製氷制御部６８は、前記製氷器モールド６２の温度が第２設定温度(例えば、−７℃)未満なら前記ヒータ６３をオンにした後、前記製氷器モールド６２の温度が第２設定温度(例えば、−７℃)より高い第３設定温度(例えば、−２℃)に達すると、前記ヒータ６３をオフにすることも可能である。
また、前記製氷制御部６８は、前記イジェクタ６４が前記製氷器モールド６２内の所定位置に到達した時、前記ヒータ６３をオフにすることも可能であることは勿論である。
【図面の簡単な説明】
【００６５】
【図１】一般の冷蔵庫を示す斜視図。
【図２】従来の技術に係る冷蔵庫において冷凍室ドア及び冷蔵室ドアが開いた状態を示す斜視図。
【図３】従来の技術に係る製氷器を示す斜視図。
【図４】従来の技術に係る製氷器を示す断面図。
【図５】従来の技術に係る製氷器の制御ブロック図。
【図６】従来の技術に係る製氷器の制御方法を示す順序図。
【図７】本発明に係る冷蔵庫において冷凍室ドア及び冷蔵室ドアが開放された状態を示す斜視図。
【図８】本発明に係る冷蔵庫の冷凍室を示す側断面図。
【図９】本発明に係る冷蔵庫の冷蔵室を示す側断面図。
【図１０】本発明に係る冷蔵庫用製氷器の斜視図。
【図１１】本発明に係る冷蔵庫用製氷器の横断面図。
【図１２】本発明に係る冷蔵庫用製氷器の縦断面図。
【図１３】本発明に係る冷蔵庫用製氷器の急速製氷制御方法の第１実施例を示す順序図。
【図１４】本発明に係る冷蔵庫用製氷器のイジェクタが二方向回動される一例を示す断面図。
【図１５】本発明に係る冷蔵庫用製氷器のイジェクタが二方向回動される他の例を示す断面図。
【図１６】本発明に係る冷蔵庫用製氷器のイジェクタが一方向に連続回転される例を示す断面図。
【図１７】本発明に係る冷蔵庫用製氷器の急速製氷制御方法の第２実施例を示す順序図。
【符号の説明】
【００６６】
５０…本体
５２…バリア
５４…冷凍室ドア
５６…冷蔵室ドア
６０…製氷器
６１…コップ
６２…製氷器モールド
６３…ヒータ
６４…イジェクタ
６４ａ…軸
６４ｂ…ピン
６５…モータ
６６…スライダー
６７…満氷感知レバー
６８…製氷制御部
６９ａ…温度センサー
６９ｂ…制御パネル
６９ｃ…マグネット
６９ｄ…ホールセンサー
７０…アイスバンク
８０…アイスシュート
９０…ディスペンサ
１２２…蒸発器
１２４…冷却ファン
１３２…圧縮器
１３４…凝縮器
１３６…膨脹器
Ｆ…冷凍室
Ｒ…冷蔵室
Ｃ…冷却チャンバー
Ａ…イジェクタの初期位置
Ｂ…イジェクタの移氷位置
α°、β°…ピンの設定撹はん角
ｗ…水
ｈ…水位
【図１】
2005114337.tif 000003
【図２】
2005114337.tif 000004
【図３】
2005114337.tif 000005
【図４】
2005114337.tif 000006
【図５】
2005114337.tif 000007
【図６】
2005114337.tif 000008
【図７】
2005114337.tif 000009
【図８】
2005114337.tif 000010
【図９】
2005114337.tif 000011
【図１０】
2005114337.tif 000012
【図１１】
2005114337.tif 000013
【図１２】
2005114337.tif 000014
【図１３】
2005114337.tif 000015
【図１４】
2005114337.tif 000016
【図１５】
2005114337.tif 000017
【図１６】
2005114337.tif 000018
【図１７】
2005114337.tif 000019